(57)【要約】【課題】本発明は、内部符号化画像（Ｉ）と、当該内部符号化画像に続く複数の予測画像（Ｐ、Ｂ）とを備えているディジタル・ビデオ検査シーケンス（１）に関する。【解決手段】前記内部符号化画像および予測画像の各々は、輝度成分（Ｙ）と２つのクロミナンス成分（Ｃｒ、Ｃｂ）とを備えている。少なくとも２つの連続する画像間の前記クロミナンス成分の少なくとも１つの変動は、前記画像を表示する表示パネル（２１）の少なくとも一部に対して、前記連続する画像間の輝度成分の変動と相関付けられていない。ビデオ検査シーケンスは、ＩＰＴＶデータ接続に対してパケットの損失を検出する際に用いることができる。【選択図】図１Ｂ
2009531892.tif 000002
【特許請求の範囲】
【請求項１】
内部符号化画像（Ｉ）と、該内部符号化画像に続く複数の予測画像（Ｐ、Ｂ）とを備えており、前記内部符号化画像および予測画像の各々が輝度成分（Ｙ）と２つのクロミナンス成分（Ｃｒ、Ｃｂ）とを備えているディジタル・ビデオ検査シーケンス（１）であって、少なくとも２つの連続する画像間の前記クロミナンス成分の少なくとも１つの変動を、前記画像を表示する表示パネル（２１）の少なくとも一部に対して、前記連続する画像間の輝度成分の変動と相関付けない、ディジタル・ビデオ検査シーケンス。
【請求項２】
請求項１記載のビデオ検査シーケンス（１）において、前記検査シーケンスの第１画像は前記内部符号化画像（Ｉ）であり、前記予測画像（Ｐ）は内部符号化情報がない、ビデオ検査シーケンス。
【請求項３】
請求項１または２記載のビデオ検査シーケンス（１）において、前記内部符号化画像（Ｉ）および複数の予測画像（Ｐ、Ｂ）の各々は、それぞれ、前記表示パネル上において前記内部符号化画像および予測画像を形成する複数のピクセルのブロックを構成し、以前の画像の実質的に全てのブロックの予測によって、予測画像を確定している、ビデオ検査シーケンス。
【請求項４】
請求項１から３の１つ以上に記載のビデオ検査シーケンス（１）において、前記輝度成分（Ｙ）の前記変動はゼロであり、前記クロミナンス成分（Ｃｒ、Ｃｂ）の前記変動は非ゼロである、ビデオ検査シーケンス。
【請求項５】
請求項４記載のビデオ検査シーケンス（１）において、前記連続する画像（Ｉ、Ｐ、Ｂ）の前記クロミナンス成分（Ｃｒ、Ｃｂ）の少なくとも１つは２つの値の間で交互する、ビデオ検査シーケンス。
【請求項６】
ディジタル・データ接続（１１）を、該データ接続の送信端（１２）と受信端（２０）との間で検査する方法であって、
−前記データ接続を通じて該データ接続の前記送信端から前記受信端にディジタル・ビデオ検査シーケンス（１）を送信するステップを備えており、前記ディジタル・ビデオ検査シーケンスが、内部符号化画像（Ｉ）と、該内部符号化画像に続く複数の予測画像（Ｐ、Ｂ）とを備えており、前記内部符号化画像および予測画像の各々が輝度成分（Ｙ）と２つのクロミナンス成分（Ｃｒ、Ｃｂ）とを備え、少なくとも２つの連続する画像間の前記クロミナンス成分の少なくとも１つの変動を、前記画像を表示する表示パネルの少なくとも一部に対して、前記連続する画像間の輝度成分の変動と相関付けない、方法。
【請求項７】
請求項６記載の方法において、更に、
−前記データ接続の受信端（２０）において前記ビデオ検査シーケンス（１）を受信するステップと、
−前記受信端において表示パネル（２１）上に前記ビデオ検査シーケンスを表示させるステップと、
−前記ビデオ検査シーケンスの送信においてエラーを観察するために、前記表示パネル上で前記画像を評価するステップと、
を備えている、方法。
【請求項８】
請求項７記載の方法において、更に、
連続する画像間における前記輝度成分（Ｙ）および前記クロミナンス成分（Ｃｒ、Ｃｂ）の前記変動に関して、前記画像（Ｉ、Ｐ、Ｂ）を不正確に表示する前表示パネル（２１）上の区域（２２）を評価し、前記区域を、前記ディジタル・データ接続を通じた送信エラーの数と相関付けるステップを備えている、方法。
【請求項９】
請求項６から８の１つ以上に記載の方法において、前記ディジタル・データ接続（１）は無接続ネットワークの一部をなす、方法。
【請求項１０】
請求項６から８の１つ以上に記載の方法において、請求項２から５の１つ以上に記載のディジタル・ビデオ検査シーケンス（１）を用いる、方法。
【請求項１１】
ディジタル・データ接続（１１）を、該データ接続の送信端（１２）と受信端（２０）との間で検査するように構成されているシステム（１０）であって、
前記システムは、前記データ接続を通じて該データ接続の前記送信端から前記受信端にディジタル・ビデオ検査シーケンス（１）を送信するように構成されており、前記ディジタル・ビデオ検査シーケンスが、内部符号化画像（Ｉ）と、該内部符号化画像に続く複数の予測画像（Ｐ、Ｂ）とを備えており、前記内部符号化画像および予測画像の各々が輝度成分（Ｙ）と２つのクロミナンス成分（Ｃｒ、Ｃｂ）とを備え、少なくとも２つの連続する画像間の前記クロミナンス成分の少なくとも１つの変動を、前記画像を表示する表示パネル（２１）の少なくとも一部に対して、前記連続する画像間の輝度成分の変動と相関付けない、システム。
【請求項１２】
請求項１１記載のシステム（１０）において、前記システムは、更に、請求項７から１０記載の方法を実行するように構成されている、システム。
【請求項１３】
請求項１から５の１つ以上に記載のディジタル検査シーケンス（１）をネットワークを通じて送信するように構成されているブロードキャスト検査チャネル。
【請求項１４】
請求項１から５の１つ以上に記載のディジタル・ビデオ検査シーケンス（１）をネットワークを通じてクライアントにブロードキャスト、マルチキャスト、および／またはユニキャストするように構成されているサーバ（１２）。
【請求項１５】
請求項１から５の１つ以上に記載のディジタル・ビデオ検査シーケンス（１）を組み立てるように構成されているエンコーダ・デバイス（１４）であって、前記シーケンスの第１画像は内部符号化画像（Ｉ）であり、後続の全ての画像は予測画像（Ｐ、Ｂ）である、エンコーダ・デバイス。
【請求項１６】
請求項１５記載のエンコーダ・デバイス（１４）において、各予測画像（Ｐ、Ｂ）には内部符号化情報がないように構成されている、エンコーダ・デバイス。
【発明の詳細な説明】
【技術分野】
【０００１】
一般的には、本発明は、ディジタル・データ接続の検査という分野に関する。更に特定すれば、本発明は、ディジタル・ビデオ検査シーケンスによる、ディジタル・データ接続を通じた通信の間におけるパケット損失の評価という分野に関する。
【背景技術】
【０００２】
次の数年以内に、多数の供給業者がｘＤＳＬデータ接続を通じたテレビジョンを提供するであろう。このようなサービスは、一般にＩＰＴＶとして知られている。ＩＰＴＶを用いると、表示パネル上の画像は、ｘＤＳＬデータ接続を通じてデコーダによって受信されたデータ・パケットから構築される。
【０００３】
ＩＰＴＶは、データ接続の品質に非常に左右される。ノイズや送信端から過度に離れた距離によって、表示パネル上に表示される画像の品質は著しく低下する。しかしながら、送信端とデコーダとの間におけるデータ・パケットの損失が、画像の品質における最も有害な低下をもたらす。何故なら、パケットの損失の結果、画像の混乱が生ずるからである。１つの指標を示すと、ディジタル・ビデオ・ブロードキャスティングに関するフォーラム（ＤＶＢ−フォーラム）が、１つの顕著なアーチファクトの１時間当たりの最大量を規定している。
【０００４】
当技術分野では、データ接続によるパケット損失を測定するためには専用デバイスを設けることが知られている。しかしながら、これらのデバイスは複雑であり、訓練を受けた専門家でないと操作することができない。これらの専門家だけが、これらの専用デバイスを用いて、データ接続の品質を判定することができる。
【発明の開示】
【発明が解決しようとする課題】
【０００５】
当技術分野では、ＩＰＴＶサービスにおいて用いるための、データ接続の品質を検査する方法の複雑さを低減することが求められている。
【課題を解決するための手段】
【０００６】
内部符号化画像と、当該内部符号化画像に続く複数の予測画像とを備えているディジタル・ビデオ検査シーケンスを提案する。前記内部符号化画像および予測画像の各々は、輝度成分と２つのクロミナンス成分とを備えている。少なくとも２つの連続する画像間の前記クロミナンス成分の少なくとも１つの変動は、前記画像を表示する表示パネルの少なくとも一部に対して、前記連続する画像間の輝度成分の変動と相関付けられていない。
【０００７】
更に、ディジタル・データ接続を、当該データ接続の送信端と受信端との間で検査する方法を提案する。この方法は、前記データ接続を通じて、当該データ接続の前記送信端から前記受信端にディジタル・ビデオ検査シーケンスを送信することを伴う。ディジタル・ビデオ検査シーケンスは、内部符号化画像と、当該内部符号化画像に続く複数の予測画像とを備えている。前記内部符号化画像および予測画像の各々は、輝度成分と２つのクロミナンス成分とを備えている。少なくとも２つの連続する画像間の前記クロミナンス成分の少なくとも１つの変動は、前記画像を表示する表示パネルの少なくとも一部に対して、前記連続する画像間の輝度成分の変動と相関付けられていない。
【０００８】
更にまた、ディジタル・データ接続を、当該データ接続の送信端と受信端との間で検査するように構成されるシステムを提案する。このシステムは、前記データ接続を通じて前記データ接続の前記送信端から前記受信端にディジタル・ビデオ検査シーケンスを送信するように構成されている。ディジタル・ビデオ検査シーケンスが、内部符号化画像と、当該内部符号化画像に続く複数の予測画像とを備えている。前記内部符号化画像および予測画像の各々は、輝度成分と２つのクロミナンス成分とを備えている。少なくとも２つの連続する画像間の前記クロミナンス成分の少なくとも１つの変動は、前記画像を表示する表示パネルの少なくとも一部に対して、前記連続する画像間の輝度成分の変動と相関付けられていない。
【０００９】
表示パネル上の画像は、通例、データ接続を通じて送信される複数のデータ・パケットから構築される。送信端と受信端（デコーダ）との間でパケットの１つが失われると、表示パネル上に新しい画像全体を表示するためには不十分な情報しか得られない。この状況では、デコーダは、直前の画像の一部、または隣接するマクロ・ブロックからの一部を表示して、失われたデータ・パケットと関連のある新しい画像におけるギャップを埋めることによって、画像を「修復」しようとする。失われた部分を取り巻く画像の部分の動きを評価することによって、直前の画像の一部の動きを予測する。
【００１０】
エンコードしたビデオ・シーケンスを供給するには、通例、画像の原色から輝度成分即ちＹおよび２つの色差成分即ちＣｂおよびＣｒへの変換が行われる。これらの色差成分をクロミナンス成分とも呼ぶ。複数の画像を備えている従来のビデオ・シーケンスでは、各画像に対して、輝度成分Ｙとクロミナンス成分ＣｂおよびＣｒとの間には相関がある。
【００１１】
本発明は、エンコードしたビデオ・シーケンスでは、直前の画像（フィールドまたはフレーム）からの画像の予測は、当該画像の輝度成分のみに基づいて行われるという洞察に基づく。エンコードしたビデオ・シーケンスをデータ接続を通じて供給することにより、画像の輝度成分およびクロミナンス成分は相関付けられず、データ接続を通じてのパケット損失は、表示パネル上において、表示パネルの残り部分と比較して、色差を有する一部として視認することができる。言い換えると、デコーダの修復策を用いて、パケット損失を視覚化する。色差がある表示パネルの部分は、前記部分と関連のある、データ接続を通じてのパケット損失を示す。１つのパケットのみの損失は、既に表示パネル上において明らかに視認できると考えられる。したがって、データ接続を通じてビデオ・シーケンスを送信することによって、データ接続の品質は、ビデオ・シーケンスの画像を示す表示パネルを見ることによって、簡単に検査することができる。
【００１２】
本発明の一実施形態では、検査シーケンスの第１画像は内部符号化画像であり、予測画像には内部符号化情報がない。この実施形態は、パケット損失が表示パネル上で常に見ることができるという利点がある。何故なら、内部符号化画像を表示した後には、画像全体のリフレッシュは行われないからである。その結果、データ接続の品質を評価する人は、簡単に表示パネルをオンに切り換え、結果を評価したいときはいつでも戻すことができる。
【００１３】
本発明の一実施形態では、内部符号化画像および複数の予測画像の各々は、それぞれ、表示パネル上の内部符号化画像および予測画像を形成する、複数のピクセル・ブロックを備えている。以前の画像について実質的に全てのブロックを予測することによって、予測画像を確定する。この実施形態は、各パケット損失が表示パネル上で視認可能であるという利点がある。尚、パケットの損失が表示パネル上における１つよりも多いピクセル・ブロックに影響を及ぼすときはいつでも、以前の画像の全ブロックに基づく予測によって新しい画像を確定する必要はないことは、当業者には明らかであろう。
【００１４】
本発明の一実施形態では、輝度成分の変動はゼロであり、前記クロミナンス成分の変動は非ゼロである。輝度成分が一定のビデオ・シーケンスは、次の画像の動き予測のために輝度成分の変動（この実施形態では、存在しない、即ち、動きがない）を用いるエンコーダによって容易にエンコードすることができる。次いで、クロミナンス成分をクロミナンス差分信号としてエンコードする。好ましくは、前記連続画像のクロミナンス成分は、２つの値（好ましくは、これらの値の間の最大変動を用いる）の間で交互する。何故なら、データ接続におけるデータ・パケットの損失が、失われたパケットに関連する部分の色が著しく相違することによって、表示パネル上で明確に視認することができるからである。
【００１５】
本発明の一実施形態では、前述の方法は、受信端においてビデオ検査シーケンスを受信し、受信端において表示パネル上にビデオ検査シーケンスを表示することを伴う。画像を評価して、前記ビデオ検査シーケンスの送信中におけるエラーを観察する。この方法は、顧客自身が彼らのデコーダによってデータ接続の品質を評価することができるという利点がある。
【００１６】
本発明の一実施形態では、前述の方法は、連続する画像間における前記輝度成分および前記クロミナンス成分の前記変動に関して、前記画像を不正確に表示する表示パネル上の区域を評価することを伴う。この区域を、前記ディジタル・データ接続を通じた送信エラーの数、即ち、パケット損失と相関付ける。不正確な画像を示す表示パネルの区域を評価することによって、定量的な尺度をデータ接続の品質について得ることができる。
【００１７】
ディジタル・データ接続は、無接続ネットワークとしてもよい。このようなネットワークでは、パケット損失の危険性が最も高くなる。
また、本発明は、先に論じたようなディジタル検査シーケンスをネットワークを通じて送信するように構成されているブロードキャスト検査チャネルに関する。ブロードキャスト検査チャネルにより、顧客はいつの時点でも彼らが望むのであれば、データ接続を評価することが可能となる。
【００１８】
また、本発明は、先に論じたようなディジタル・ビデオ検査シーケンスをネットワークを通じてクライアントにブロードキャスト、マルチキャスト、および／またはユニキャストするように構成されているサーバに関する。顧客は、ディジタル検査シーケンスをサーバから読み出して、彼のデータ接続の品質を検査することができる。
【００１９】
また、本発明は、先に論じたディジタル・ビデオ検査シーケンスを組み立てるように構成されているエンコーダ・デバイスに関し、前記シーケンスの第１画像は内部符号化画像であり、後続の全ての画像は予測画像である。各予測画像には内部符号化情報がない。次いで、連続する画像間の差分のみに基づいて、クロミナンスの変動をエンコードし、ビデオ・シーケンスは、データ接続を通じたパケット損失と対応する表示パネル上の部分を消去しない。連続する画像間において輝度変動がゼロであること（動きがない）、または実質的にゼロであること（遅い動き）を確保することによって、その結果得られるビデオ・シーケンスは、デコーダによって容易に予測することができる。
【００２０】
尚、以上に定めた実施形態、およびその態様を組み合わせてもよいことを注記しておく。
本発明は、本発明による好適な実施形態を模式的に示す添付図面を参照して、更に詳しく例示する。本発明は、この特定的かつ好適な実施形態には全く制約されないことは言うまでもない。
【発明を実施するための最良の形態】
【００２１】
ディジタル・ビデオ・シーケンスは、一連のモーメント画像（フレームまたはフィールド）を備えている。ビデオ・シーケンスを表示する表示パネルは、ピクセルと呼ばれる、多数の点を格子上に備えている。各画像は、ピクセルに対応するディジタル・データを備えており、各ディジタル・データは、対応するピクセルの色、明るさ、およびグラデーションの値を示す。ピクセルは、マクロ・ブロックとも呼ばれる、ピクセルのブロックに纏めることができる。ディジタル・ビデオ・シーケンスは、元のビデオ・データを圧縮することによって生成するビット・シーケンスの形態を有する。
【００２２】
ビデオに関する既知の国際規格には、とりわけ、国際的な標準化機関であるＩＳＯ（国際標準化機関）およびＩＥＣ（国際電子技術委員会）に基づく（ｉ）ＭＰＥＧ−２（ＭＰＥＧ：動画専門家集団）およびＭＰＥＧ−４、すなわち、ＩＳＯ／ＩＥＣ−１３８１８として規定されるＭＰＥＧ−２、ＩＳＯ／ＩＥＣ−１４４９６として規定されるＭＰＥＧ−４、ならびに（ｉｉ）ＩＴＵ（国際電気通信連合）推奨に基づくＨ．２６１およびＨ２６３がある。当業者は、以上の規格に精通していると想定する。ディジタル化した画像のＭＰＥＧ圧縮についての短い摘要が、米国特許第６，５４５，７２７号において規定されている。
【００２３】
国際規格において用いられるビデオ・データ符号化方法の一例として、フレーム間予測符号化方法が知られている。この方法では、互いに近接する２つの画像間の差分をエンコードして送信し、受信側において、差分のみをデコードして、既にデコードされている画像に追加する。統計的に、このような隣接する画像は、同じ物体または背景を含むことが多い。即ち、殆どの場合、隣接する画像は互いに類似しており、僅かな相違があるだけである。したがって、このようなわずかな相違のみを実際にはエンコードすることによって、データを圧縮することができる。
【００２４】
図１Ａは、Ｉ−画像（内部符号化フレームまたはフィールド）、Ｂ−画像（双方向予測フレームまたはフィールド）、およびＰ−画像（予測フレームまたはフィールド）を備えている従来のビデオ・シーケンスの一例を示す。Ｉ−画像は、最大独立モードで符号化される。Ｐ−画像は、当該シーケンスにおいて先行するＩ−またはＰ−画像に関して符号化される。Ｂ−画像は、ビデオ・シーケンスにおける直前または直後のＩ−またはＰ−種の２つの画像に関して符号化される。シーケンスにおける画像の順序は、表示パネル上に画像を表示する順序に対応する。画像には１つ以上のエラーを含むこともあり得るので、予測メカニズムがエラーの伝搬を生ずる可能性もある。このような伝搬を回避するために、従来のビデオ・シーケンスは画像全体をリフレッシュするために、いくつかのＩ−画像を有する。
【００２５】
序説において既に述べたように、画像毎に、画像の原色から輝度成分即ち信号Ｙおよび２つの色差成分即ち信号ＣｂおよびＣｒへの変換が行われる。色差成分をクロミナンス成分とも呼ぶ。複数の画像を備えている従来のビデオ・シーケンスでは、各画像Ｉ、Ｐ、Ｂに対して、輝度成分Ｙとクロミナンス成分ＣｂおよびＣｒとの間には相関がある。
【００２６】
図１Ｂは、本発明の一実施形態にしたがってエンコードしたビデオ・シーケンス１を示す。ディジタル・ビデオ・シーケンス１は、内部符号化画像Ｉと、この内部符号化画像Ｉに続く、複数の予測画像Ｐとを備えている。内部符号化画像Ｉおよび予測画像Ｐの各々は、輝度成分Ｙおよび２つのクロミナンス成分Ｃｂ、Ｃｒを備えている。少なくとも２つの連続する画像（Ｉ−ＰまたはＰ−Ｐ）間におけるクロミナンス成分Ｃｂ、Ｃｒの少なくとも１つの変動を制御して、この変動が、画像を表示する表示パネルの少なくとも一部に対して、連続する画像間における輝度の変動とは相関付けられないようにする。クロミナンスの変動は、図１Ｂにおける連続する白黒の画像によって示される。尚、このようなビデオ・シーケンスは、データ接続の品質を検査するために有益に負うようできることが分かっている。これについては、図２および図３Ａから図３Ｃを参照して更に説明する。
【００２７】
尚、図１Ｂのビデオ・シーケンス１の種々の代替物も可能であり、これらは本発明の範囲に該当することは認められるはずである。
一例として、Ｐ−画像の１つ以上をＢ−画像で置き換えることができる。更に、輝度成分とクロミナンス成分の変動間の相関が、連続する画像の各対間にないことは必要ではない。更に、図１のビデオ・シーケンス１は、更に別のＩ−画像も含むことができる。何故なら、２つの画像のクロミナンス成分の変動を、複数の画像について当該シーケンスのこれら２つの画像の輝度成分の変動と相関付けなければ十分であるからである。相関がないことにより、ビデオ・シーケンスを表示する表示パネル上に画像エラーが生ずる。シーケンスに更に別のＩ−画像がないことによって、パケット損失によって生ずる画像エラーは、このような別のＩ−画像によって消去されないことを確保する。
【００２８】
図２は、ＩＰＴＶのためにデータ・パケットを送信することができるデータ接続１１を検査するシステム１０を示す。データ接続１１は、インターネットのような、無接続ネットワークの一部であってもよい。サーバ１２は、図１Ｂに示すような、１つ以上のビデオ検査シーケンスを有するデータベース１３を備えている。エンコードしたディジタル・ビデオ検査シーケンスは、エンコーダ１４によって供給する。エンコーダ１４は、サーバ１２の一部とすればよい。サーバ１２は、クライアントの要求に回答するためのプロセッサ１５も備えている。
【００２９】
このようなクライアントの一例は、データ接続１１を通じてサーバ１２と通信することができるデコーダ２０を備えている。更に、デコーダ２０は、デコーダ２０に呈示された画像を表示することができる表示装置２１に接続されている。
【００３０】
尚、システム１０は異なるアーキテクチャを有してもよいことは認められよう。例えば、システムは、放送局（図示せず）を含んでもよく、放送局がビデオ検査シーケンスを有する連続ブロードキャスト信号を送信して、これをデコーダ２１が捕獲することができる。
【００３１】
図２のシステム１０の動作について、これより図３Ａから図３Ｃを参照しながら説明する。
図１Ｂのビデオ検査シーケンスを、数個のパケットにしてデータ接続１１を通じて送信する。各画像Ｉ、Ｐを数個のパケットから構築する。一般に、パケットは画像の種類（ＩまたはＰ）を示すヘッダと、表示データを有するペイロードとを備えている。
【００３２】
図３Ａの最初の画像は、Ｉ−画像である。この画像は、データ接続１１を通じて送られた数個のデータ・パケットの表示データから構築する。データ・パケットの各々のヘッダは、そのパケットがＩ−画像についての情報を備えていることを示し、一方ペイロードは、そのＩ−画像についてのエンコードした輝度成分Ｙおよびクロミナンス成分Ｃｒ、Ｃｂを備えている。一例として、ビデオ・シーケンスのＩ−画像は輝度成分Ｙ＝６０およびクロミナンス成分Ｃｒ＝４０、Ｃｂ＝２０を有する。輝度成分およびクロミナンス成分を有する画像は、図示のように、表示パネル２１上に表示される。
【００３３】
次の画像は、予測画像Ｐである。本発明のこの実施形態を例示するために、予測画像Ｐの情報を搬送するパケットが、データ接続１１を通じた送信の間に失われたと過程する。本発明のこの実施形態では、輝度成分Ｙの変動を０に保持する。即ち、ビデオ検査シーケンスのＰ−画像に対してＹ＝６０とする。しかしながら、ビデオ検査シーケンスのクロミナンス成分Ｃｒ、Ｃｂは、輝度成分の変動には相関付けられておらず、有意な変動(significant variation)、例えば、Ｃｒ＝２０、Ｃｂ＝４０に設定されている。しかしながら、送信中にデータ・パケットが失われたので、表示パネル２１上における対応部分２２は、Ｙ＝６０、Ｃｒ＝４０、およびＣｙ＝２０のままで変化しない。デコーダ２０は、直前のＩ−画像のデータを用いることによって、失われたデータ・パケットの影響を修復しようとする。デコーダ２０は、更に別のエラー訂正のために、輝度成分Ｙ（これはゼロである）の変動の予測だけを用いるので、失われたデータ・パケットと関連のあるピクセルのブロックは、単に直前のＩ−画像の情報を表示するだけとなる。これを図３Ｂに示す。
【００３４】
ビデオ・シーケンスにおける次の画像Ｐは、輝度成分Ｙ＝６０（一定輝度）およびクロミナンス成分Ｃｒ＝４０、Ｃｂ＝２０を有する。この画像のデータ・パケットは全てデコーダ２０に到達すると仮定する。表示パネル２１は、輝度成分がＹ＝６０、クロミナンス成分がＣｒ＝４０、Ｃｂ＝２０の画像Ｐを表示する。しかしながら、パケット損失によるエラーがある部分２２については、クロミナンス成分が異なる。即ち、Ｃｒ＝６０、Ｃｂ＝０となる。その結果、直前の画像の損失が、図３Ｃに示すように、見えるまま残っている。
【００３５】
尚、予測画像Ｐには内部符号化情報がないことが好ましいことは認められよう。これによって、エラー部分２２が消去されることを回避する。
通例、内部符号化画像Ｉおよび予測画像Ｐは複数のピクセル・ブロック（マクロ・ブロック）を備えている。各データ・パケットの損失を確実に検出するためには、以前の画像ＩまたはＰの実質的に全てのブロックの予測によって、予測画像Ｐを確定することが好ましい。しかしながら、パケットの損失が表示パネル２１上における１つよりも多いピクセル・ブロックに影響を及ぼすときはいつでも、以前の画像の全ブロックに基づく予測によって新しい画像を確定する必要はない。
【００３６】
デコーダ２０においてビデオ検査シーケンス１を受信し、表示パネル２１上にこのシーケンスを表示することによって、顧客が表示装置２１上の画像を評価し、ビデオ検査シーケンス１のパケットのデータ接続１１上で送信する際に、エラーを観察可能となることは明白である。
【００３７】
表示パネル２１上でパケット損失の影響を見ることによって、データ接続１１の品質を評価することの他に、表示パネル２１上で画像に対する何らかの定量的情報を抽出することも可能である。一例として、画像を不正確に表示する表示パネル２１の区域を判定した場合、この尺度は、失われたデータ・パケット数の情報を提供することになる。例えば、顧客が、３時間後図３Ｃの表示パネルが彼の表示パネル２１に表示されていることを発見した場合、過去３時間に１つのデータ・パケットが失われたと結論付けることができる。このような区域を４つ発見した場合、これは、測定期間中に４つのパケットが失われたことを示すと考えられる。勿論、偶然に表示パネルの同じ部分を埋める役割のデータ・パケットが失われた場合、これは表示パネル２１上では見ることができないこともある。
【００３８】
尚、本発明は、前述の実施形態に限定されるのではないことは認められよう。本発明の主旨は、少なくとも２つの連続する予測画像を備えているビデオ・シーケンスを規定し、これらの連続画像を空間および／または時間において相関付けない。連続する画像間の相関をなくすことによって、パケットの損失によって生ずるエラーをデコーダ２０が補正することを防止する。
【図面の簡単な説明】
【００３９】
【図１Ａ】図１Ａは、従来技術のビデオ・シーケンスを模式的に示す。
【図１Ｂ】図１Ｂは、本発明の一実施形態によるビデオ・シーケンスを模式的に示す。
【図２】図２は図１Ｂのビデオ・シーケンスによって検査するデータ接続を備えているシステムを示す。
【図３Ａ】図３Ａは、図２のデータ接続を通じて送信するビデオ検査シーケンスを表示する表示パネルを模式的に示す。
【図３Ｂ】図３Ｂは、図２のデータ接続を通じて送信するビデオ検査シーケンスを表示する表示パネルを模式的に示す。
【図３Ｃ】図３Ｃは、図２のデータ接続を通じて送信するビデオ検査シーケンスを表示する表示パネルを模式的に示す。
【図１Ａ】
2009531892.tif 000003
【図１Ｂ】
2009531892.tif 000004
【図２】
2009531892.tif 000005
【図３Ａ】
2009531892.tif 000006
【図３Ｂ】
2009531892.tif 000007
【図３Ｃ】
2009531892.tif 000008
【国際調査報告】
2009531892.tif 000009
2009531892.tif 000010
2009531892.tif 000011